(57)【要約】【課題】釣用天秤は、こずきによる単純な上下動しかなく、餌の位置を魚に知らしめる効果が薄い。            【解決手段】錘を勾玉形状または２個にすることにより重心が道糸側にかかり、天秤の両端が相反する運動が発生する。仕掛の中心を基点とし錘を海底地面に這わせると、こずきによる単純な上下運動が複雑な動きに変化し天秤の運動量が倍加する。そのため鈎針付部材の餌、ワーム、ラバー、ブレード、ルアーが踊り生きているように見える。また、海底が砂・泥の場合はつば付形状の部材を取付けることにより、つば部で砂または泥を掻き揚げ砂煙・泥煙を発生させるため釣果が上がる。【選択図】図１
2011024562.tif 000002
【特許請求の範囲】
【請求項１】
アーム部の一端側には道糸を設け、他端側にはハリス止着部を設け、両者間に錘を設けた錘付天秤において、中央部に接合部品を介して第１の錘を、道糸側先端に第２の錘を設け、アームの中心より道糸側に重心が片寄ることで反対側を跳ね上げる動きを発生させ、前後がシーソーの動きをする事により運動量が多くなることを特徴とする錘付釣用天秤。      
【請求項２】
アームが接合部品を支点に回動することを特徴とする請求項１に記載の錘付釣用天秤。
【請求項３】
アーム部の一端には道糸を設け、他端にはハリス止着部を設け、両者間に錘を設けた錘付天秤において、曲線上のアームと、アームの道糸側に固定されアームの曲線に添った湾曲面を有する錘を設け、アームの中心より道糸側に重心があること特徴とする錘付釣用天秤。      
【請求項４】
錘が勾玉形状であり、その底面の形状が舟底状かＲ形状であり頭部側に重心を有することを特徴とする請求項３に記載の錘付釣用天秤。
【請求項５】
アーム部の一端には道糸を設け、他端には仕掛止着部を設け、両者間に錘を設けた錘付天秤において、曲線を有するアーム先端の立上がり部に第２の錘を、アーム中央部に第１の錘を設置し、各錘の両側に位置を保持する移動調節可能なストッパーを設けたことを特徴とする錘付釣用天秤。
【請求項６】
アーム部の一端側には道糸を設け、他端側には仕掛止着部を設け、両者間に錘を    設けた錘付天秤において、曲線上のアームと、アームに取付けられた扁平形状の錘を備え、錘の底面部に突起を設けたことを特徴とする錘付釣用天秤。
【請求項７】
アームの仕掛側先端に玉部材を取付けた事を特徴とする請求項１〜６に記載の錘付釣用天秤。
【請求項８】
前記玉部材は、砂掻き揚げ部を有することを請求項７記載の錘付釣用天秤。
【発明の詳細な説明】
【技術分野】
【０００１】
本発明は、釣りに使用される釣り道具に関する。
【背景技術】
【０００２】
釣り道具は一般に魚の釣果を上げるために使用される。図８に、従来の錘付天秤を示す。防波堤、船釣り等で海底の魚を釣るために使用されている天秤は図８(ａ)の様な中通し天秤と図８(ｂ)の様な片天秤が主である。
図８(ａ)の中通し天秤には錘２がパイプ状の天秤１に取付けられたサルカン１３に装着される。パイプ状天秤１にはストッパー８まで内部を自由に摺動する仕掛５が通っている。パイプ状天秤１を貫通する仕掛５は一方の先端が道糸７にサルカン１３で接続され、他方の先端にはテグス１４が接続されている。また、仕掛５とテグス１４には釣針９が取付けられている。
図８(ｂ)の片天秤は天秤１が一方の先端と道糸７と錘２にサルカン１３で直接接続され、他方の先端には釣針が取付けられたテグス１４が接続されている。
この天秤では錘２が着底した状態で図８(ａ)の天秤は仕掛が天秤内を摺動するため、魚が餌を銜えた時に違和感がない。また小さな魚信でも感知できるが図８(ｂ)の天秤では感知できない。
【先行技術文献】
【特許文献】
【０００３】
【特許文献１】特開２００７−２４４３７０
【発明の概要】
【発明が解決しようとする課題】
【０００４】
特開２００７−２４４３７０号公報（特許文献１）に開示された仕掛は弾性部材の伸び縮みを利用し、仕掛の動きを増幅させ集魚効果を高める仕掛が  開示されているが動きとしては単純であり十分な集魚効果が期待できないと考えられる。
【課題を解決するための手段】
【０００５】
本発明は以上の点を解決するために、次のような構成を採用する。
＜構成１＞
本発明の錘付釣用天秤は、アーム部の一端側には道糸を設け、他端側にはハリス止着部を設け、両者間に錘を設けた錘付釣用天秤において、曲線上のアームの中央部に接合部品を介して第１の錘を、道糸側先端に第２の錘を設け、アームの中心より道糸側に重心が片寄ることで反対側を跳ね上げる動きを発生させ、前後がシーソーの動きをする事により運動量が多くなることを特徴とする。
以上の事により,魚に餌の在りかを強力にアピール出来、多種魚を釣ることができる。
【０００６】
＜構成２＞
さらに本発明の錘付天秤は、アームが第２の錘を支点として取付けられているスナップ形の接合部品を基準に回動することを特徴とする。
以上の事により、餌が上から徐々に下がりながら横方向に動くため、魚の食い気を誘うことができる・
【０００７】
＜構成３＞
また本発明の錘付天秤は、アーム部の一端には道糸を設け、他端にはハリス止着部を設け、両者間に錘を設けた錘付天秤において、曲線上のアームとアーム道糸側に固定され、アームの曲線に添った湾曲面を有する錘設けたことを特徴とする。      
【０００８】
＜構成４＞
さらに本発明の錘付天秤は、錘が勾玉形状であり、その底面の形状が舟底状かＲ形状であり、頭部側に重心を有することを特徴とする。
以上の事により、小魚が弱っているように見えるため、大型の魚を釣る事ができる。
【０００９】
＜構成５＞
また本発明の錘付天秤は、アーム部の一端には道糸を設け、他端には仕掛止着部を設け、両者間に錘を設けた錘付天秤において、曲線を有するアーム先端の立上がり部に第２の錘を、アーム中央部に第１の錘を設置し、各錘の両側に位置を保持する移動調節可能なストッパーを設けたことを特徴とする。
【００１０】
＜構成６＞
また本発明の錘付天秤は、アーム部の一端側には道糸を設け、他端側には仕掛止着部を設け、両者間に錘を設けた錘付天秤において、曲線上のアームと、アームに取付けられた扁平形状の錘を備え、錘の底面部に突起を設けたことを特徴とする。      
以上の事により、竿先を動かすとストッパーを基準に仕掛が動くため、餌が揺れ動き魚を誘う効果が大きくなる。 
【００１１】
＜構成７＞
さらに本発明の錘付天秤は、アームの仕掛側先端に一方向に突出しているヘラ状の部材や環状に取り巻いている部材を反道糸側に配し、海底の砂・泥を掻き揚げ前進することを特徴とする。
以上の事により、他の魚の餌食行動を再現し食い気の無い魚も釣ることができる。
【００１２】
＜構成８＞  
さらに本発明の錘付天秤は、釣用天秤と仕掛に、スリット部を設けた錘と玉・ヘラ付部材・環状つば付部材・釣針付部材を外から自在に取付け・取外しが可能であることを特徴とする。
以上の事により、魚種に合わせ部材を変える事により、多くの魚を釣る事ができる。
【発明の効果】
【００１３】
本発明の天秤と錘には次のような効果がある。
(1) 天秤及び仕掛けが上下左右・前後に動くため、多様な動きを得ることで、集魚効果と共に食い付きを高めることが出来る。
(2) 玉部材に設けられた砂掻き揚げ部が、天秤の動きにより海底の砂や泥を掻き揚げる為、餌・ワームへの食い付きを高める事が出来る。
【図面の簡単な説明】
【００１４】
【図１】この発明の実施例１の錘付天秤を示す。
【図２】この発明の実施例１の錘付天秤の作動図を示す。
【図３】この発明の実施例２の錘付天秤を示す。
【図４】この発明の実施例２の錘付天秤の作動図を示す。
【図５】この発明の実施例３の錘付天秤を示す。
【図６】この発明の実施例４の錘付天秤を示す。
【図７】この発明の錘付天秤に取付ける玉部材を示す。
【図８】従来の錘付天秤を示す。
【発明を実施するための形態】
【００１５】
以下、本発明を具体例を用いて詳細に説明する。
【実施例１】
【００１６】
以下の説明で、実施例１は構成1及び図２は構成２に対応する。
図１及び図２において、従来例の図８と同じ構成については説明を省略する。
図１に、本発明の実施例１の錘付天秤を示す。
図１に示すように天秤は曲線を有するアーム１、釣鐘状の第１の錘２、球状の錘３、接合部４、仕掛糸５、玉部材６から構成される。またこの図には上記以外に道糸７、ストッパー８、釣針９が示されている。曲線アーム１は図８(ａ)を用いて説明した従来品より長い構造のものである。第１の錘２は図８(ａ)を用いて説明した従来通りの釣鐘型錘を、パイプの中心にスナップ形の接合部品４で回動自在に運動が出来る構造となっている。球形状の錘３はアーム１の先端に接合されており、仕掛中心の第１の錘２を支点としてアーム１の両端は先端方向に重心を持ったため、後方部とは相反する上下運動を行なうことが出来る。第２の錘３の材質は鉛である。
第２の錘３が取付けられたアームの反対側にはヘラ状部材やワームを取付ける。仕掛糸５は天秤の動きを釣針９までスムーズに伝えるよう高弾性のワイヤー及びテグスを使用している。
竿を常に上下させこずき運動を与えることにより図２(ａ)・(ｂ)・(ｃ)の動きが    連続して発生する。図２(ａ)は第１の錘２が海底を離れた状態、図２(ｂ)は第１の錘２を海底に接地した状態、図２(ｃ)はさらに道糸７をおろして錘３も海底に接地した状態を示す。
その際、釣針９の動きは図２(ａ)では海底に接地しており、図２(ｂ)上方向に跳ね上がり、図２(ｃ)では横方向に着底し、図２(ａ)の状態に戻る。このような。連続した動きにより縦と横の扇形状に釣針９が動きまわることとなる。
【００１７】
以上のように、こずき運動を与えることにより釣鐘型錘を支点として天秤が上下  左右に動き、海底の砂や付着物を巻き上げて集魚効果を上げることが出来る。
【００１８】
以下の説明で実施例２の錘付天秤は構成３及び構成４・構成７に対応する。
図３において実施例１と同じ構成については説明を省略する。図３において
パイプ状の曲線アーム１の両端に玉部材６を設置し一端のみに勾玉形状の錘２を接合し錘底部の形状を可変させ玉部材６を上下に動く以外に道糸７のテンションがなくなるまで下げると、図４(ａ)のように両サイドのどちらかに傾き天秤に横方向の動きも与えることが出来る。竿を常に上下させ、こずき運動を与えることにより図４(ａ)・(ｂ)・(ｃ)・(ｄ)の動きが連続して発生する。アームの仕掛先端にヘラ状の部材・環状に取り巻いている部材で海底の砂・泥を掻き揚げる。道糸７を下げると錘２が海底に倒れ(ａ)の状態になり、道糸７を持ち上げると錘が立ち上がり(ｂ)の状態になる。さらに道糸７を持ち上げると(ｃ)の状態になる。錘を海底から上に持ち上げると(ｄ)の状態になる。釣針９は実施例１と同じ運動で扇形状に動く。
錘は通常プラスチックやゴムまたはそれ等を複合して形成される。
【００１９】
以下の説明で実施例３は構成５に対応する。
図５において潮流が大きい場合でも仕掛が活発に動くよう曲線状のアーム１先端を道糸７側のアーム先端を直線形状にし、第２の錘３を上下にスライドさせて設置し、第１の錘２とのバランスをとり、ストッパー８をセットする。
【００２０】
以下の説明で実施例４は構成６に対応する。
図６において天秤と錘の実施例正面図を示す。
パイプ状の曲線アーム１の両端に玉部材６を設置し一端のみに亀の子状の錘２底部にストッパー１６を設置し道糸７を引くことにより玉部材６を上下に運動させることにより、釣針９を動かし集魚効果を上げることができる。
【００２１】
以下の説明は構成８に対応する。
図７においては水深・魚種にあわせて第１の錘２、第２の錘３、玉部材６のサイズ、色の選定が必要であるため、錘・玉・鈎針付部材・ヘラ付部材の中心までのスリット部を設け、天秤に圧入する。
【符号の説明】
【００２２】
１．アーム部
２．第１の錘
３．第２の錘
４．接合部品
５．仕掛糸
６．玉部材
７．道糸
８．ストッパー 
９．釣針
１０．ゴム管
１１．キャップ 
１２．栓
１３．サルカン（ハリス止着部・錘止着部）
１４．テグス
１５．ヨリモドシ（ハリス止着部)
１６．ストッパー
【図１】
2011024562.tif 000003
【図２】
2011024562.tif 000004
【図３】
2011024562.tif 000005
【図４】
2011024562.tif 000006
【図５】
2011024562.tif 000007
【図６】
2011024562.tif 000008
【図７】
2011024562.tif 000009
【図８】
2011024562.tif 000010